(57)【要約】【課題】良好な操作性を有するスマートフォン用３Ｄビューアを提供することである。【解決手段】下端（１２ａ）がスマートフォンの縁部に取り付けられた垂直部材（１２）と、スマートフォンＳのディスプレイＤに対して所定間隔を隔ててほぼ平行になるように垂直部材の上端（１２ｂ）から一方向に延びた水平部材（１４）と、水平部材に配置された一対の立体視用レンズ（１６）とを備えていることを特徴とするスマートフォン用３Ｄビューア（１０）が提供される。【選択図】  図１
2012129776.tif 000002
【特許請求の範囲】
【請求項１】
下端がスマートフォンの縁部に取り付けられた垂直部材と、
スマートフォンのディスプレイに対して所定間隔を隔ててほぼ平行になるように前記垂直部材の上端から一方向に延びた水平部材と、
前記水平部材に配置された一対の立体視用レンズと、
を備えていることを特徴とするスマートフォン用３Ｄビューア。
【請求項２】
前記水平部材が、前記垂直部材に対して回転可能に連結されていることを特徴とする請求項１に記載されたスマートフォン用３Ｄビューア。
【請求項３】
前記垂直部材をその下端を中心として旋回させて、前記ディスプレイの上方の箇所から前記水平部材を移動させるように構成されていることを特徴とする請求項１又は２に記載されたスマートフォン用３Ｄビューア。
【発明の詳細な説明】
【技術分野】
【０００１】
本発明は一般に、スマートフォンに装着して用いられる３Ｄビューアに関する。より詳細には、本発明は、操作性の良好なスマートフォン用３Ｄビューアに関する。
【背景技術】
【０００２】
携帯電話と携帯情報端末を融合させたスマートフォンは、通信機能の他、ネットワーク機能や情報管理機能などの種々の機能を備えているため、広範に用いられている。スマートフォンは基本的に、使用者が指でディスプレイに触れることによって操作するようになっている。
【０００３】
一方、ディスプレイに表示される平面的な映像を立体的に見るための種々の装置が開発されている。
【発明の開示】
【発明が解決しようとする課題】
【０００４】
しかしながら、スマートフォンはディスプレイに触れることによって操作するようになっているため、スマートフォンに従来の立体映像取得装置を装着すると、ディスプレイへのアクセスが阻害され、操作性が損なわれるという不都合がある。
【０００５】
本発明は、このような状況に鑑みて開発されたものであって、良好な操作性を有するスマートフォン用３Ｄビューアを提供することを目的としている。
【課題を解決するための手段】
【０００６】
本願請求項１に記載のスマートフォン用３Ｄビューアは、下端がスマートフォンの縁部に取り付けられた垂直部材と、スマートフォンのディスプレイに対して所定間隔を隔ててほぼ平行になるように前記垂直部材の上端から一方向に延びた水平部材と、前記水平部材に配置された一対の立体視用レンズとを備えていることを特徴とするものである。
【０００７】
本願請求項２に記載のスマートフォン用３Ｄビューアは、前記請求項１の３Ｄビューアにおいて、前記水平部材が、前記垂直部材に対して回転可能に連結されていることを特徴とするものである。
【０００８】
本願請求項３に記載のスマートフォン用３Ｄビューアは、前記請求項１又は２の３Ｄビューアにおいて、前記垂直部材をその下端を中心として旋回させて、前記ディスプレイの上方の箇所から前記水平部材を移動させるように構成されていることを特徴とするものである。
【発明の効果】
【０００９】
本発明のスマートフォン用３Ｄビューアによれば、垂直部材の位置する方向を除いて３方向からディスプレイに接近することができるので、スマートフォンの操作を容易に行うことができる。また、水平部材と垂直部材を回転可能に連結することにより、本発明のスマートフォン用３Ｄビューアを折り畳んで持ち運ぶことができる。さらに、垂直部材をその下端を中心として旋回させるように構成することにより、スマートフォンで写真撮影をする際等に操作し易くなる。本発明のスマートフォン用３Ｄビューアは、簡単な構造のものであるため、低コストで提供することができる。
【発明を実施するための最良の形態】
【００１０】
次に図面を参照して、本発明の好ましい実施の形態に係るスマートフォン用３Ｄビューアについて詳細に説明する。図１は、本発明の好ましい実施の形態に係るスマートフォン用３ＤビューアがスマートフォンＳに装着されている状態を示した斜視図である。図１において、ＤはスマートフォンＳのディスプレイを示している。
【００１１】
図１において全体として参照符号１０で示される本発明の好ましい実施の形態に係るスマートフォン用３Ｄビューアは、スマートフォンＳのディスプレイＤに対してほぼ直交するように下端１２ａがスマートフォンＳの縁部に取り付けられた垂直部材１２を備えている。
【００１２】
垂直部材１２は例えば、スマートフォンＳの縁部に設けられた凹部（図示せず）に、垂直部材１２の下端１２ａに設けられた突起（図示せず）をはめ込むことによって、垂直部材１２に取り付けられている。
【００１３】
スマートフォン用３Ｄビューア１０はまた、スマートフォンＳのディスプレイＤに対して所定間隔を隔ててほぼ平行になるように垂直部材１２の上端１２ｂから一方向に延びた水平部材１４を備えている。
【００１４】
水平部材１４には、一対の立体視用レンズ１６が配置されている。好ましくは、水平部材１４には、スマートフォンＳの使用者が立体視用レンズ１６を覗いたときに鼻が当たる個所に、鼻当て用のくぼみ１４ａが設けられている。立体視用レンズ１６自体は、公知のものが用いられる。
【００１５】
垂直部材１２と水平部材１４は、プラスチック等の合成樹脂材料で一体に形成するのが好ましい。なお、水平部材１４をスマートフォンＳのディスプレイＤに対してほぼ平行になるように配置することができるものであれば、図２に示すように、垂直部材１２を僅かに傾斜させた形態にしても差し支えない。
【００１６】
図４は、スマートフォン用３Ｄビューア１０を操作している状態を示した図である。図４に示されるように、垂直部材１２の位置する方向を除いて３方向からディスプレイＤに接近することができるので、スマートフォンＳの操作を容易に行うことができる。
【００１７】
図５は、スマートフォン用３Ｄビューア１０の変形形態を示した図である。図５に示されるスマートフォン用３Ｄビューア１０では、垂直部材１２と水平部材１４が別体に形成され、蝶番１８によって回転可能に連結されている。このように構成することにより、スマートフォンＳを取り外した際に、スマートフォン用３Ｄビューア１０を折り畳んでコンパクトにして持ち運ぶことができる。
【００１８】
図６は、スマートフォン用３Ｄビューア１０の別の変形形態を示した図である。図６に示されるスマートフォン用３Ｄビューア１０では、垂直部材１２がその下端を中心として旋回できるように構成されている。このように構成することにより、スマートフォンＳで写真撮影をする際等に操作し易くなる。旋回可能な構成は、例えば、スマートフォンＳの縁部に設けられた凹部（図示せず）に、垂直部材１２の下端に設けられた突起（図示せず）をはめ込む等の方法を採用することにより実現することができる。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
たとえば、添付図面に示した垂直部材１２、水平部材１４および立体視レンズ１６の寸法や形状は単なる例示的なものにすぎず、図示した以外の寸法や形状を採用してもよい。
【図面の簡単な説明】
【００２１】
【図１】本発明の好ましい実施の形態に係るスマートフォン用３Ｄビューアがスマートフォンに装着されている状態を示した斜視図である。
【図２】図１の正面図である。
【図３】図１の平面図である。
【図４】図１のスマートフォン用３Ｄビューアを操作している状態を示した斜視図である。
【図５】スマートフォン用３Ｄビューアの変形形態を示した斜視図である。
【図６】スマートフォン用３Ｄビューアの別の変形形態を示した斜視図である。
【符号の説明】
【００２２】
１０  スマートフォン用３Ｄビューア
１２  垂直部材
１２ａ  下端
１２ｂ  上端
１４  水平部材
１４ａ  鼻当て部
１６  立体視レンズ
１８  蝶番
Ｓ  スマートフォン
Ｄ  ディスプレイ
【図１】
2012129776.tif 000003
【図２】
2012129776.tif 000004
【図３】
2012129776.tif 000005
【図４】
2012129776.tif 000006
【図５】
2012129776.tif 000007
【図６】
2012129776.tif 000008